(57)【要約】【課題】  特に香水などの好みの香りの発生を切り替えて異なる香りを楽しめ、身の回り品として持ち歩ける芳香アクセサリーを提供する。【解決手段】  香水等を含浸した芳香チップ２０を保持し、開孔１４から芳香チップ２０からの香りを放出させる芳香ピース１１と、芳香ピース１１を複数並べて配列して保持可能なベース部材１２と、ベース部材１２に一部がスライド可能に支持され、複数の芳香ピース１１の配列方向に沿ってスライドし、所望の芳香ピース１１の開孔１４を塞ぐカバー部材１３と、対象物にベース部材１２を保持させるクリップ部材１６とを備える。【選択図】  図３
2015192789.tif 000002
【特許請求の範囲】
【請求項１】
芳香源を内部に収容し、開孔から前記芳香源の香りを放出させる芳香ピースと、
該芳香ピースを複数並べて配列して保持可能なベース部材と、
該ベース部材に一部がスライド可能に支持され、前記複数の芳香ピースの配列方向に沿ってスライドし、所望の芳香ピースの開孔を塞ぐカバー部材と、
を備えたことを特徴とする芳香アクセサリー。
【請求項２】
前記ベース部材の芳香ピースを保持する面と反対面にクリップ部材が取り付けられたことを特徴とする請求項１に記載の芳香アクセサリー。
【請求項３】
前記芳香源は、液状芳香剤を含浸させた多孔質セラミックス製のチップ部材からなることを特徴とする請求項１に記載の芳香アクセサリー。
【請求項４】
複数の芳香ピースの開孔を開放し、芳香をブレンドさせるようにしたことを特徴とする請求項１に記載の芳香アクセサリー。
【発明の詳細な説明】
【技術分野】
【０００１】
本発明は芳香アクセサリーに係り、特に香水などの好みの香りの発生を切り替えて異なる香りを楽しむことができる芳香アクセサリーに関する。
【背景技術】
【０００２】
従来、香水やオーデコロン、アロマオイルのような香りを楽しむ化粧品は、体や衣服に直接付けて使用されてきた。これに対して、たとえば携帯電話やスマートフォン、文具、カード入れ等の身の回り品に、香りを放つ小さな板状のピースを取り付けて、その香りを味わえるようにするという提案がされている（特許文献１）。
【先行技術文献】
【特許文献】
【０００３】
【特許文献１】特開２０１１−６１４４７号公報
【発明の概要】
【発明が解決しようとする課題】
【０００４】
ところで、特許文献１に開示された多孔質セラミックスからなるフレグランスチップ（芳香性チップ）は香水などを含浸させた後、チップ保持材とキャップの役割を果たすフレグランスピースに装着され、そのフレグランスピースがスマートフォンやカードケースなどの一部にあらかじめ形成された所定形状の凹部に収納され、使用される。このため、それらの身の回り品はフレグランスピースを収納する所定形状の凹部をそれぞれ設けなければならない。このフレグランスピースが収納される凹部を設けることで、身の回り品のデザイン性が損なわれるという問題がある。
【０００５】
また、身の回り品を鞄やポケットにしまった場合などはその香りが伝わらないため、香りが広がるようにテーブル上等、適当な場所にそれらを置いたりしなければならない。さらに、特許文献１では、フレグランスチップが単体で用いられているため、別の香りを楽しみたいときには、別の香水が含浸されたフレグランスチップに交換しなければならない。そこで、本発明の目的は上述した従来の技術が有する問題点を解消し、特許文献１で開示されたフレグランスチップに相当する芳香源を複数個収納できるようにし、それぞれのフレグランスチップの芳香源の放つ香りを切り替えることができ、さらにはどのような場所でも香りを楽しめる芳香アクセサリーを提供することにある。
【課題を解決するための手段】
【０００６】
上記目的を達成するために、本発明の芳香アクセサリーは、芳香源を内部に収容し、開孔から前記芳香源の香りを放出させる芳香ピースと、該芳香ピースを複数並べて配列して保持可能なベース部材と、該ベース部材に一部がスライド可能に支持され、前記複数の芳香ピースの配列方向に沿ってスライドし、所望の芳香ピースの開孔を塞ぐカバー部材と、を備えたことを特徴とする。
【０００７】
前記ベース部材の芳香ピースを保持する面と反対面にクリップ部材を取り付けることが好ましい。
【０００８】
前記芳香源は、液状芳香剤を含浸させた多孔質セラミックス製のチップ部材とすることが好ましい。
【０００９】
複数の芳香ピースの開孔を開放し、芳香をブレンドすることが好ましい。
【発明の効果】
【００１０】
以上に述べた構成からなる本発明によれば、複数の芳香を切り替えたり、ブレンドしたりでき、さらにはどのような場所でもその香りを楽しめるという効果を奏する。
【図面の簡単な説明】
【００１１】
【図１】本発明の芳香アクセサリーの全体構成を示した斜視図。
【図２】図１に示した芳香アクセサリーの内部構成と各パーツの形状を一部断面により示した正面、平面、側面図。
【図３】図１に示した芳香アクセサリーの各パーツの組み立て状態を示した分解構成図。
【図４】芳香アクセサリーの使用例を示した説明図。
【図５】芳香アクセサリーの他の使用例を示した説明図。
【図６】芳香アクセサリーの他の構成例（金属クリップタイプ）を示した説明図。
【図７】図６に示した芳香アクセサリーの使用例を示した説明図。
【発明を実施するための形態】
【００１２】
以下、本発明の芳香アクセサリーの実施するための形態として、以下の実施例について添付図面を参照して説明する。
【実施例】
【００１３】
図１は、本発明の芳香アクセサリー１０をテーブル１上に置いた状態での全体構成を示している。この芳香アクセサリー１０は、３種類の香水等をセットできる３個の芳香ピース１１がベースプレート１２に装着された構成からなる。ベースプレート１２には２個のスライドカバーがベースプレート１２の長手方向に沿ってスライドできるように取り付けられている。
【００１４】
各芳香ピース１１の表面には２５個（５×５）の香り放出孔１４が形成されている。図１では、２個のスライドカバー１３がそれぞれ芳香ピース１１の香り放出孔１４を覆った状態が示されている。また、芳香アクセサリー１０の使用態様の一例として、同図では、芳香アクセサリー１０を傾けて机上等に置いた状態が示されている。この状態は、スライドカバー１３の下辺とベースプレート１２の背面側にバネヒンジ１５（図２（ａ））を介して取り付けられたクリッププレート１６の下辺とによって保持されている。
【００１５】
ここで、芳香アクセサリー１０を構成する各パーツの構成について、図２各図及び図３各図を参照して説明する。
【００１６】
図２各図は、完成した芳香アクセサリー１０の外観及び一部を切欠いて断面を示した正面図、側面図、低面図である。図２（ａ）に示したように、ベースプレート１２の底面側には、その一端に設けられたバネヒンジ１５を介してクリッププレート１６が連結されている。クリッププレート１６は図５を参照して後述するように、芳香アクセサリー１０を衣服の一部、鞄、書類束の一部に取り付ける際に用いられる。ベースプレート１２の上面には、図３（ａ）に示したように、小径の円孔凹所１２ａが１２個（４個×３組）形成されている。円孔凹所１２ａには芳香ピース１１の裏面側に形成された４個の固定突起１１ａが嵌め込まれ、これにより芳香ピース１１はベースプレート１２上面に固定される（図２（ａ）、（ｂ）の断面表示部、図３（ｂ））。
【００１７】
０  芳香ピース１１は、図３（ａ）、（ｂ）に示したように、本実施例では、平面視して略正方形形状をなす扁平板材からなり、前述したように、各芳香ピース１１の表面には芳香ピース１１の外形に合わせて略正方形状に並ぶように２５個の香り放出孔１４が形成されている。また図２（ａ）、（ｂ）の断面表示部、図３（ｂ）に示したように、芳香ピース１１の裏面側には略正方形状の凹所１１ｂが形成されている。この凹所１１ｂに芳香チップ２０が収容されている。この凹所１１ｂの各辺の中央位置には半円形状の固定爪１１ｃが形成され、この固定爪１１ｃによって芳香チップ２０の凹所内に収容保持させる。内部に収納された芳香チップ２０から発生する香りは、香り放出孔１４を通じて外部に広がらせることができる。さらに裏面の四隅には前述した固定突起１１ａが形成されている。
【００１８】
芳香チップ２０は、図３（ｃ）に示したように、芳香ピース１１の凹所１１ｂに納まるような薄い板状材で、材質は多孔質セラミックスからなる。使用時には芳香チップ２０の表面に好みの香りを放つ香水やオーデコロンなどを数滴垂らし、多孔質セラミックスの微細孔に香水を含浸させた状態で、芳香ピース１１の凹所１１ｂに嵌め込むようにして収容する。本実施例では、多孔質セラミックスとして、アルミナセラミックス成形板が使用されている。炭化ケイ素セラミックス、ジルコニアなども芳香チップ２０の材料として使用することができる。その他、樹脂製の薄型ケースに薄い不織布を収容させてチップ化した材料を使用してもよい。
【００１９】
スライドカバー１３は、図１、図２各図、図３各図に示したように、ベースプレート１２に固定された芳香ピース１１の香り放出孔１４を覆うカバー部材で、側面視して下向きの扁平な略コ字形をなす。側面フランジ１３ａの内面下端には扁平な弧状をなす凸状係止部１３ｂ（図３（ｃ）断面表示部）が形成されている。この凸状係止部１３ｂがベースプレート１２の側辺の所定位置に形成された凹状係止部１２ａに係合することでスライドカバー１３が並んで配列された各芳香ピース１１を覆った状態が保持される。また、スライドカバー１３上面の表面には浅い湾曲面状の凹所からなる指掛け面１３ｃが形成されている。この指掛け面１３ｃに指先をあてて横方向に動かすことによって、スライドカバー１３をベースプレート１２の側辺に沿って滑らせるように移動できる（図４（ｂ））。
【００２０】
ここで、各パーツを組み立てた完成形での芳香アクセサリー１０の使用例について、図４各図、図５を参照して説明する。図４は図１に示したものと同形の芳香アクセサリー１０の正面図である。この芳香アクセサリー１０は３個の芳香ピース１１をベースプレート１２に取り付けたタイプで、３種類の香水を各芳香ピース１１内の芳香チップ２０に含浸させて使用することができる。ここでは、説明のために符号Ａ，Ｂ，Ｃを付して各芳香ピース１１を区別する。図４（ａ）は、芳香ピース１１Ａの香り放出孔１４が開放された状態を示している。したがって、この状態で使用する場合、芳香ピース１１Ｂ、１１Ｃの香り放出孔１４は蓋の役目を果たすスライドカバー１３で覆われているため、それぞれの芳香ピース１１Ｂ、１１Ｃの香りは遮断され、芳香ピース１１Ａの香りのみが広がる。ここで、図４（ｂ）、（ｃ）に示したように、芳香ピース１１Ａ側にスライドカバー１３をスライドさせる。そうすると、中央の芳香ピース１１Ｂの香り放出孔１４が露出する。芳香ピース１１Ｂの香りを楽しみたいときには、両側の芳香ピース１１Ａ、１１Ｃの位置にスライドカバー１３を移動すればよい。図４（ｃ）は２個のスライドカバー１３をスライドさせて芳香ピース１１Ｃの香りが広がるようにさせた状態を示している。このようにして３種類の香りを切り替えて楽しむことができる。また、図４（ｄ）に示したように、スライドカバー１３を１個にすると、２個の芳香ピース１１Ｂ、１１Ｃの各香り放出孔１４を露出させることができる。この場合、これらの香り放出孔１４から広がる香りをブレンドして楽しむことができる。さらにスライドカバー１３をすべて取り除いた状態では３種類の香りをブレンドすることもできる。なお、図４各図は３個の芳香ピース１１を並べたタイプであるが、２個の芳香ピース１１と１個のスライドカバーとからなる小さなタイプとしてもよい。
【００２１】
次に、図５を参照してクリップを利用する例について説明する。上述したように、ベースプレート１２にはバネヒンジ１５を介してクリッププレート１６が取り付けられている。クリッププレート１６は図５に示したように、バネヒンジ１５とスライドカバー１３の指掛け面１３ｃ（図４（ａ））とを挟むように持つと、バネヒンジ１５部分を支点として先端が開き、対象物２、たとえば衣服のポケットやベルト、鞄のフラップや外ポケット、手帳や名刺ケースを先端把持部１６ａで挟んで、対象物２の一部に芳香アクセサリー１０を保持させることができる。これにより芳香アクセサリー１０を様々な状況で使用して、香りを楽しむことができる。
【００２２】
図６は、他の実施例として、ベースプレート１２の背面に金属製のクリップ１７を取り付けた芳香アクセサリー１０を示している。芳香アクセサリー１０のクリップ１７として金属板バネを採用することにより、同図および図７（ａ）に示したように部品点数を少なくしてシンプルなデザインとして実用性を高めることができる。また、図５に示した使用例と同様に、ヒンジ部１７ａの角度を広げるようにしてクリップ先端部１７ｂで対象物２を挟んで保持させることができる（図７（ｂ））。
【００２３】
芳香アクセサリー１０の各パーツは樹脂成形品であるため、芳香ピース１１とスライドカバー１３とを様々な色の樹脂で成形することができ、パーツの色使い、香水の種類等を選んでオリジナルな芳香アクセサリーを作ることできる。
【００２４】
なお、本発明は上述した実施例に限定されるものではなく、各請求項に示した範囲内での種々の変更が可能である。すなわち、請求項に示した範囲内で適宜変更した技術的手段を組み合わせて得られる実施例も、本発明の技術的範囲に含まれる。
【符号の説明】
【００２５】
１０  芳香アクセサリー
１１  芳香ピース
１２  ベースプレート
１３  スライドカバー
１４  香り放出孔（開孔）
１５  バネヒンジ
１６  クリッププレート
１７  クリップ
【図１】
2015192789.tif 000003
【図２】
2015192789.tif 000004
【図３】
2015192789.tif 000005
【図４】
2015192789.tif 000006
【図５】
2015192789.tif 000007
【図６】
2015192789.tif 000008
【図７】
2015192789.tif 000009